(57)【要約】【課題】ユーザが容易にアドレス情報を電子機器に入力できるシートを印刷可能な画像処理装置、及びプログラムを提供することである。【解決手段】データ取得部は、画像データを取得する。アドレス取得部は、データ取得部によって取得された画像データが示す画像に、アドレス情報が含まれる場合に、アドレス情報を取得する。生成部は、アドレス取得部によって取得されたアドレス情報を示す２次元コードを生成する。印刷部は、画像データが示す画像と、生成部によって生成された２次元コードとを印刷する。【選択図】図２
2019024175.tif 000002
【特許請求の範囲】
【請求項１】
画像データを取得するデータ取得部と、
前記データ取得部によって取得された前記画像データが示す画像に、アドレス情報が含まれる場合に、前記アドレス情報を取得するアドレス取得部と、
前記アドレス取得部によって取得されたアドレス情報を示す２次元コードを生成する生成部と、
前記画像データが示す画像と、前記生成部によって生成された２次元コードとを印刷する印刷部と、
を備えた画像処理装置。
【請求項２】
前記画像を印刷するシートの印刷サイズが予め定められており、
前記印刷部は、前記画像を縮小した縮小画像と前記２次元コードとを、１枚の前記印刷サイズのシートに印刷するとともに、前記２次元コードの数に応じて前記縮小画像の大きさを変更する請求項１に記載の画像処理装置。
【請求項３】
前記画像を印刷するシートの印刷サイズが予め定められており、
前記印刷部は、前記印刷サイズのシートよりも大きいサイズの１枚のシートに、前記画像を前記印刷サイズで印刷するとともに、前記シートの余白に前記２次元コードを印刷する請求項１に記載の画像処理装置。
【請求項４】
前記アドレス取得部は、前記画像データに対して文字認識処理を行うことによってアドレス情報を取得し、
前記アドレス取得部によって取得されたアドレス情報を表示する表示部と、
前記表示部によって表示された前記アドレス情報をユーザによって修正可能な修正部と、
を備えた請求項１または請求項２に記載の画像処理装置。
【請求項５】
画像処理装置のコンピュータに、
画像データを取得するデータ取得ステップと、
前記データ取得ステップによって取得された前記画像データが示す画像に、アドレス情報が含まれる場合に、前記アドレス情報を取得するアドレス取得ステップと、
前記アドレス取得ステップによって取得されたアドレス情報を示す２次元コードを生成する生成ステップと、
前記画像データが示す画像と、前記生成ステップによって生成された２次元コードとを印刷する印刷ステップと、
を実行させるためのプログラム。
【発明の詳細な説明】
【技術分野】
【０００１】
本発明の実施形態は、画像処理装置、及びプログラムに関する。
【背景技術】
【０００２】
メールアドレスやＵＲＬ（Uniform Resource Locator）などのアドレス情報が含まれる画像を印刷することがある。ユーザは、シートに印刷されたアドレス情報を見て、パソコンやスマートフォンなどの電子機器に対し、アドレス情報を手入力することがある。こうした手入力はユーザにとって煩わしく、また誤入力の可能性も高い。
【先行技術文献】
【特許文献】
【０００３】
【特許文献１】特開２０１４−１５３８７７号公報
【発明の概要】
【発明が解決しようとする課題】
【０００４】
本発明が解決しようとする課題は、ユーザが容易にアドレス情報を電子機器に入力できるシートを印刷可能な画像処理装置、及びプログラムを提供することである。
【課題を解決するための手段】
【０００５】
実施形態の画像処理装置は、データ取得部と、アドレス取得部と、生成部と、印刷部とを持つ。データ取得部は、画像データを取得する。アドレス取得部は、前記データ取得部によって取得された前記画像データが示す画像に、アドレス情報が含まれる場合に、前記アドレス情報を取得する。生成部は、前記アドレス取得部によって取得されたアドレス情報を示す２次元コードを生成する。印刷部は、前記画像データが示す画像と、前記生成部によって生成された２次元コードとを印刷する。
【図面の簡単な説明】
【０００６】
【図１】実施形態の画像処理装置の概略構成を示す図。
【図２】縮小印刷方法による印刷例を示す図。
【図３】縮小印刷方法による印刷例を示す図。
【図４】大シート印刷方法による印刷例を示す図。
【図５】アドレス画面を示す図。
【図６】画像処理装置の処理の流れを示すフローチャート。
【図７】画像処理装置の処理の流れを示すフローチャート。
【発明を実施するための形態】
【０００７】
実施形態の画像処理装置では、ユーザが容易にアドレス情報を入力できるシートを印刷可能な画像処理装置を提供することが可能となる。以下、実施形態の画像処理装置について詳細に説明する。
【０００８】
図１は、画像処理装置１００の概略構成を示す図である。画像処理装置１００は、制御部１０２と、記憶装置１０８と、通信Ｉ／Ｆ１１０と、を備える。画像処理装置１００は、操作パネル１１２と、スキャナ１１４と、画像を印刷するプリンタ１１６とを備える。画像処理装置１００の各コンポーネントは、バス１１８を介して接続される。
【０００９】
制御部１０２は、ＣＰＵ（Central Processing Unit）またはＭＰＵ（Micro Processing Unit）からなるプロセッサ１０４と、メモリ１０６とを備える。メモリ１０６は、ＲＯＭ（Read Only Memory）と、ＲＡＭ（Random Access Memory）とを備える。ＲＯＭには、制御プログラム等が格納される。ＲＡＭは、プロセッサ１０４に一時的な作業領域を提供する。
【００１０】
制御部１０２は、ＲＯＭ、または記憶装置１０８に格納された各種プログラム等に基づいて各部を制御する。例えば、制御部１０２は、操作パネル１１２、スキャナ１１４、及びプリンタ１１６を制御する。制御部１０２は、画像データを補正する機能、または伸張する機能を備える。
【００１１】
記憶装置１０８は、アプリケーションプログラム及びＯＳ（Operating System）を記憶する。アプリケーションプログラムは、画像処理装置１００が備える機能を実行するプログラムを含む。画像処理装置１００が備える機能として、例えばコピー機能、プリント機能、スキャナ機能、ファクシミリ機能、及びネットワークファイル機能が挙げられる。アプリケーションプログラムは、Ｗｅｂクライアント用のアプリケーション（Ｗｅｂブラウザ）やその他のアプリケーションを含む。
【００１２】
プリケーションプログラムとして、アドレス取得プログラム及び２次元コード生成プログラムがある。アドレス取得プログラムは、記憶装置１０８に記憶された画像データが示す画像に、アドレス情報が含まれる場合に、アドレス情報を取得する。具体的に、アドレス取得プログラムは、画像データに対して文字認識処理を行う。アドレス取得プログラムは、文字認識処理により得られた文字列でアドレス情報を検索することでアドレス情報を取得する。本実施形態におけるアドレス情報は、メールアドレス、ＵＲＬ（Uniform Resource Locator）、及び電話番号である。アドレス情報は、メールアドレス、ＵＲＬ、及び電話番号のうちの少なくとも１つであってもよいし、他の情報としてもよい。
【００１３】
２次元コード生成プログラムは、アドレス取得プログラムによって取得されたアドレス情報を示す２次元コードを生成する。生成された２次元コードは、記憶装置１０８に記憶される。プリンタ１１６は、画像データが示す画像と、２次元コードとを印刷する。
【００１４】
記憶装置１０８は、磁気記憶装置、光学式記憶装置、及び半導体記憶装置のうちの少なくとも一つ以上で構成される。記憶装置１０８は、スキャナ１１４で読取った原稿の画像データまたは通信Ｉ／Ｆ１１０を介して取得した画像データ等を一時的に記憶する。記憶装置１０８は、ソフトウェア更新、保護された電子ドキュメント、テキストデータ、アカウント情報、及びポリシー情報等を適切に保存する。
【００１５】
上記画像データが示す画像を印刷するシートの印刷サイズは、予め定められている。例えばスキャナ１１４で読取った原稿の画像データには、読み取った原稿のサイズと同じ大きさのサイズが印刷サイズとして予め定められている。通信Ｉ／Ｆ１１０を介して取得した画像データには、画像データを送信したＰＣなどの送信元によって印刷サイズが指定されている。なお、印刷サイズが予め定められた印刷サイズから変更された場合には、変更されたサイズを改めて予め定められた印刷サイズとする。
【００１６】
通信Ｉ／Ｆ１１０は、外部の機器と接続するインターフェースである。通信Ｉ／Ｆ１１０は、無線または有線を介して外部機器と接続する。無線または有線の規格として、例えば、Blutooth（登録商標）、ＩＥＥＥ８０２．１５、ＩＥＥＥ８０２．１１、ＩＥＥＥ８０２．３、ＩＥＥＥ１２８４などが挙げられる。通信Ｉ／Ｆ１１０は、ＵＳＢ規格の接続端子が接続されるＵＳＢ接続部やパラレルインタフェース等を含んでも良い。制御部１０２は、通信Ｉ／Ｆ１１０を介してユーザ端末、ＵＳＢデバイス、またはその他外部機器と通信する。
【００１７】
本実施形態に係る画像処理装置１００は、画像データが示す画像に、アドレス情報が含まれる場合に、画像とアドレス情報を示す２次元コードとを印刷することが可能である。そして、画像処理装置１００において、ユーザは、画像と２次元コードとの印刷方法を３種類の中から選択可能である。なお、上述したように画像には印刷サイズが予め定められている。これを踏まえ、３種類の印刷方法について説明する。
【００１８】
印刷方法のうちの１つ目の方法（以下、「縮小印刷方法」とも称する）は、縮小画像と２次元コードとを、１枚の印刷サイズのシートに印刷する方法である。例えば、画像の印刷サイズがＡ４の場合には、１枚のＡ４のシートに縮小画像と２次元コードとが印刷される。このとき、２次元コードの数に応じて縮小画像の大きさが変更される。具体的には、２次元コードの数が多いほど、画像はより縮小される。
【００１９】
印刷方法のうちの２つ目の方法（以下、「大シート印刷方法」とも称する）は、印刷サイズのシートよりも大きいサイズの１枚のシートに、画像を印刷サイズで印刷するとともに、シートの余白に２次元コードを印刷する方法である。例えば、画像の印刷サイズがＡ４の場合には、Ａ４よりも大きいＡ３のサイズの１枚のシートに画像がＡ４サイズで印刷され、２次元コードが余白に印刷される。ここで、余白とは、大きいシートのうち、画像の印刷サイズ分の領域以外の領域である。従って、画像がいかなる画像（例えばＡ４全体に描かれた写真）であっても、２次元コードと画像とが重なることはない。
【００２０】
仮に、余白ではない位置に２次元コードが印刷される場合、この２次元コードがもともとの画像に含まれるか否かユーザは判定できない。また、余白ではない位置に２次元コードが印刷される場合、本来の画像になかったものを画像内に印刷することとなるため、好ましくない。
【００２１】
印刷方法のうちの３つ目の方法（以下、「別紙印刷方法」とも称する）は、画像が印刷されるシートとは異なるシートに２次元コードを印刷する方法である。この場合、画像は印刷サイズのシートに印刷される。２次元コードは、印刷サイズのシートに印刷されてもよいし、異なるサイズのシートに印刷されてもよい。次に、縮小印刷方法と大シート印刷方法で印刷した場合の一例について説明する。
【００２２】
図２、図３は、縮小印刷方法による印刷例を示す図である。図２には、印刷サイズＡ４の画像２００とＡ４の印刷シート２１０とが示されている。まず、画像２００には、２つのアドレス情報２０１、２０２が含まれる。アドレス情報２０１は、ＵＲＬを示し、アドレス情報２０２は、メールアドレスを示す。アドレス取得プログラムは、この２つのアドレス情報を取得する。２次元コード生成プログラムは、２つのアドレス情報を示す２次元コードを生成する。
【００２３】
プリンタ１１６は、画像２００と、２次元コード２１２、２１３とを印刷することで、印刷シート２１０が得られる。２次元コード２１２は、アドレス情報２０１に対応する２次元コードである。２次元コード２１３は、アドレス情報２０２に対応する２次元コードである。２次元コード２１２、２１３には、いずれのアドレス情報に対応するかを示すために、その近傍に文字によってアドレス情報が印刷される。これにより、ユーザは、アドレス情報に対応する２次元コードを見分けることができる。
【００２４】
このように、アドレス情報に対応する２次元コードを印刷することで、ユーザはスマートフォンやＰＣなどの電子機器に設けられたカメラで２次元コードを撮像することができる。２次元コードを撮像することによって、ユーザは容易に電子機器にアドレス情報を入力できる。
【００２５】
上述した縮小印刷方法では、画像が縮小されるものの、ユーザは１枚のシートで、かつシートの大きさは印刷サイズと変わらないままシートで画像と２次元コードとを得ることができる。
【００２６】
図３も縮小印刷方法で印刷した場合の一例を示す図である。図２の画像と異なる点は、アドレス情報が比較的多いということである。図３には、印刷サイズＡ４の画像３００とＡ４の印刷シート３１０とが示されている。まず、画像３００には、６つのアドレス情報３０１が含まれる。アドレス情報３０１の各々は、ＵＲＬを示す。アドレス取得プログラムは、この６つのアドレス情報を取得する。２次元コード生成プログラムは、６つのアドレス情報を示す２次元コードを生成する。
【００２７】
プリンタ１１６は、画像３１１と、２次元コード３１２とを印刷することで、印刷シート３１０が得られる。アドレス情報が多いため、図２の画像２１１と比較して、図３の画像３１１はより縮小されている。そして、画像３１１と、２次元コード３１２は、２ページ分を１枚のシートに印刷する方法の１つである「２ｉｎ１」で印刷される。アドレス情報がさらに多い場合には、例えば４ページ分を１枚のシートに印刷する方法の１つである「４ｉｎ１」などで印刷される。なお、「２ｉｎ１」で印刷された場合であっても、２次元コードには、いずれのアドレス情報に対応するかを示すために、その近傍に文字によってアドレス情報が印刷される。これにより、ユーザは、アドレス情報に対応する２次元コードを見分けることができる。
【００２８】
このように、アドレス情報に対応する２次元コードを印刷することで、ユーザはスマートフォンやＰＣなどの電子機器に設けられたカメラで２次元コードを撮像することができる。２次元コードを撮像することによって、ユーザは容易に電子機器にアドレス情報を入力できる。
【００２９】
上述した縮小印刷方法では、画像が縮小されるものの、ユーザは１枚のシートで、かつシートの大きさは印刷サイズと変わらないままシートで画像と２次元コードとを得ることができる。
【００３０】
図４は、大シート印刷方法による印刷例を示す図である。図４には、印刷サイズＡ４の画像４００とＡ３の印刷シート２１０とが示されている。まず、画像４００には、６つのアドレス情報４０１が含まれる。アドレス情報４０１の各々は、ＵＲＬを示す。アドレス取得プログラムは、この６つのアドレス情報を取得する。２次元コード生成プログラムは、６つのアドレス情報を示す２次元コードを生成する。
【００３１】
プリンタ１１６は、画像４１１と、２次元コード４１２とを印刷することで、印刷シート４１０が得られる。アドレス情報が多いが、Ａ３のシートの半分に画像４１１をＡ４サイズで印刷するため、画像の大きさは印刷サイズのままである。２次元コードには、いずれのアドレス情報に対応するかを示すために、その近傍に文字によってアドレス情報が印刷される。これにより、ユーザは、アドレス情報に対応する２次元コードを見分けることができる。
【００３２】
このように、アドレス情報に対応する２次元コードを印刷することで、ユーザはスマートフォンやＰＣなどの電子機器に設けられたカメラで２次元コードを撮像することができる。２次元コードを撮像することによって、ユーザは容易に電子機器にアドレス情報を入力できる。
【００３３】
上述した大シート印刷方法では、画像が縮小されることなく、また縮小印刷方法と比較して、２次元コードを大きく印刷することが可能である。従って、縮小印刷方法と比較して、電子機器のカメラの解像度等の要求スペックを低下させることができる。
【００３４】
次に、アドレス情報の修正等について説明する。上述したように、アドレス取得プログラムは、文字認識によりアドレス情報を取得する。そのため、文字を誤認識する可能性がある。図５は、操作パネル１１２に表示されるアドレス画面を示す図である。このアドレス画面は、スキャナ１１４によって原稿が読み取られ、アドレス取得プログラムによってアドレス情報が取得されたときに表示される画面である。
【００３５】
アドレス画面５００には、取得アドレス情報欄５０１、印刷方法ラジオボタン５０２、及び印刷ボタン５０３が表示される。取得アドレス情報欄５０１では、テキストボックスにアドレス取得プログラムによって取得されたアドレス情報が表示される。図５の場合、一例として２つのアドレス情報が取得されたため、２つのアドレス情報が表示されている。このうち、「user@a.example.con」は、「user@a.example.com」における最後のｍがｎに誤認識されたものである。この場合、ユーザは、操作パネル１１２に備わる不図示のテンキーやソフトウェアキーによって「ｎ」を「ｍ」に修正することができる。
【００３６】
印刷方法ラジオボタン５０２は、上記「縮小印刷方法」、「大シート印刷方法」、及び「別紙印刷方法」のいずれかの印刷方法をユーザに選択させるラジオボタンである。図５の「原稿を縮小して印刷」は、「縮小印刷方法」に対応する。「大きいシートで印刷」は、「大シート印刷方法」に対応する。「別紙で印刷」は、「別紙印刷方法」に対応する。なお、ユーザは、いずれの印刷方法も選択しないことが可能であり、この場合には、２次元コードは印刷されない。
【００３７】
ユーザは、必要に応じて、アドレス情報の修正を行ったり、印刷方法を選択したのち、印刷ボタン５０３をタッチすることによって、指定された印刷方法で印刷された印刷シートを得ることができる。
【００３８】
図６、７は、画像処理装置の処理の流れを示すフローチャートである。このフローチャートは、スキャナ１１４によって原稿を読み取って印刷するコピー機能で２次元コードを印刷する場合の処理の流れを示している。
【００３９】
制御部１０２は、スキャナ１１４によって原稿をスキャンすることで（ＡＣＴ１０１）、原稿を示す画像データを取得する（ＡＣＴ１０２）。制御部１０２は、アドレス取得プログラムによってアドレス取得処理を行う（ＡＣＴ１０３）。制御部１０２は、アドレス取得処理でアドレス情報が取得されたか否かを判定する（ＡＣＴ１０４）。
【００４０】
アドレス情報が取得されなかった場合には（ＡＣＴ１０４：ＮＯ）、制御部１０２は、図７のＡＣＴ１２１で通常印刷を行い（ＡＣＴ１２１）、本処理を終了する。なお、通常印刷とは、２次元コードを印刷せず、原稿を示す画像のみを印刷する処理である。アドレス情報が取得された場合には（ＡＣＴ１０４：ＹＥＳ）、制御部１０２は、印刷サイズを取得する（ＡＣＴ１０５）。制御部１０２は、大シート印刷方法が実行可能か否かを判定する（ＡＣＴ１０６）。例えば、画像処理装置１００で印刷可能な最大のサイズがＡ３で、印刷サイズがＡ３の場合には、画像処理装置１００は大シート印刷方法を実行できない。そのため、上記ＡＣＴ１０６で判定が行われる。
【００４１】
大シート印刷方法が実行可能な場合には（ＡＣＴ１０６：ＹＥＳ）、制御部１０２は、アドレス画面を操作パネル１１２に表示する（ＡＣＴ１０７）。一方、大シート印刷方法が実行可能ではない場合には（ＡＣＴ１０６：ＮＯ）、制御部１０２は、マスク済アドレス画面を操作パネル１１２に表示する（ＡＣＴ１０８）。マスク済アドレス画面とは、「大きいシートで印刷」がユーザによって選択できないようにしたアドレス画面である。
【００４２】
制御部１０２は、いずれかのアドレス画面を表示すると、ユーザによってアドレス情報が修正されたか否かを判定する（ＡＣＴ１０９）。ここでの修正とは、例えば「１文字削除」、「１文字追加」などの操作パネル１１２でユーザによって行われた操作である。ユーザによってアドレス情報が修正された場合には（ＡＣＴ１０９：ＹＥＳ）、制御部１０２は、修正処理を行い（ＡＣＴ１１０）、ＡＣＴ１１１に進む。修正処理とは、例えば「１文字削除」して操作パネル１１２に表示する処理など、ユーザによって行われた操作に応じた処理である。ユーザによってアドレス情報が修正されていない場合には（ＡＣＴ１０９：ＮＯ）、制御部１０２は、ＡＣＴ１１１に進む。
【００４３】
制御部１０２は、ユーザによって印刷ボタン５０３がタッチされたか否かを判定する（ＡＣＴ１１１）。印刷ボタン５０３がタッチされていない場合には（ＡＣＴ１１１：ＮＯ）、制御部１０２は、上記ＡＣＴ１０９に戻る。印刷ボタン５０３がタッチされた場合には（ＡＣＴ１１１：ＹＥＳ）、制御部１０２は、取得したアドレス情報ごとに、２次元コード生成プログラムによって２次元コードを生成する（ＡＣＴ１１２）。
【００４４】
次の図７において、ユーザによって選択された印刷方法で処理が分岐される。まず、制御部１０２は、ユーザによって別紙印刷方法が選択されたか否かを判定する（ＡＣＴ１１３）。別紙印刷方法が選択された場合には（ＡＣＴ１１３：ＹＥＳ）、制御部１０２は、まず定められた印刷サイズで画像を印刷する（ＡＣＴ１１４）。次いで、制御部１０２は、異なるシートに２次元コードを印刷して（ＡＣＴ１１５）、本処理を終了する。
【００４５】
別紙印刷方法が選択されなかった場合には（ＡＣＴ１１３：ＮＯ）、制御部１０２は、ユーザによって縮小印刷方法が選択されたか否かを判定する（ＡＣＴ１１６）。縮小印刷方法が選択された場合には（ＡＣＴ１１３：ＹＥＳ）、制御部１０２は、アドレス情報数に応じて画像を縮小する（ＡＣＴ１１７）。次いで、制御部１０２は、縮小した縮小画像と２次元コードとを、１枚の印刷サイズのシートに印刷して（ＡＣＴ１１８）、本処理を終了する。
【００４６】
縮小印刷方法が選択されなかった場合には（ＡＣＴ１１６：ＮＯ）、制御部１０２は、ユーザによって大シート印刷方法が選択されたか否かを判定する（ＡＣＴ１１９）。大シート印刷方法が選択された場合には（ＡＣＴ１１９：ＹＥＳ）、制御部１０２は、印刷サイズのシートよりも大きいサイズの１枚のシートに、画像を印刷サイズで印刷し、シートの余白に２次元コードを印刷して（ＡＣＴ１２０）、本処理を終了する。
【００４７】
大シート印刷方法が選択されなかった場合には（ＡＣＴ１１９：ＮＯ）、ユーザによっていずれの印刷方法も選択されなかったため、制御部１０２は、通常印刷を行って（ＡＣＴ１２１）、本処理を終了する。
【００４８】
以上述べた実施形態の画像処理装置１００によればユーザが容易にアドレス情報を電子機器に入力できるシートを印刷可能な画像処理装置を提供することが可能となる。
【００４９】
なお、上述した実施形態における画像処理装置１００は、２次元コードをシートに印刷したが、シートに印刷せずに、操作パネル１１２に表示するようにしてもよい。また、画像処理装置１００は、ＰＣからの印刷指示によって印刷した場合には、２次元コードをＰＣに表示するようにしてもよい。
【００５０】
上記実施形態では、印刷方法（縮小、大シート、別紙）は、ユーザによって選択されたが、画像処理装置１００が自動的に定めるようにしてもよい。例えば、アドレス情報が所定数より少ない場合は、縮小印刷方法とし、所定数以上の場合は大シートまたは別紙印刷方法としてもよい。
【００５１】
上述した実施形態における画像処理装置の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１００…画像処理装置、１０２…制御部、１１２…操作パネル、１１４…スキャナ、１１６…プリンタ
【図１】
2019024175.tif 000003
【図２】
2019024175.tif 000004
【図３】
2019024175.tif 000005
【図４】
2019024175.tif 000006
【図５】
2019024175.tif 000007
【図６】
2019024175.tif 000008
【図７】
2019024175.tif 000009